(57)【要約】【課題】所定の領域で開催されるイベント全体の活性度だけではなく、イベントに参加する参加者の各々の参加状況を管理することができるようにする情報端末を提供する。【解決手段】情報端末は、所定の領域に設けられた出力装置から出力される識別情報に基づいて所定の領域の位置を示す位置情報を取得する位置情報取得部と、イベントにおいて参加者に対応する所定の入力情報を取得する入力情報取得部と、入力情報取得部が取得する入力情報と予め定められた採点情報とを用いて、イベントにおいて参加者を評価するための評価情報を生成する評価情報生成部と、所定の領域の位置を示す位置情報、情報端末を識別する端末識別情報、及び評価情報生成部が生成する評価情報を含む参加者情報を、複数の参加者の参加者情報を管理する情報処理装置に送信する参加者情報送信部と、を有する。【選択図】図４
2018124456.tif 000002
【特許請求の範囲】
【請求項１】
所定の領域で開催されるイベントに参加する参加者が所持する情報端末であって、
前記所定の領域に設けられた出力装置から出力される識別情報に基づいて、前記所定の領域の位置を示す位置情報を取得する位置情報取得部と、
前記イベントにおいて、前記参加者に対応する所定の入力情報を取得する入力情報取得部と、
前記入力情報取得部が取得する前記入力情報と予め定められた採点情報とを用いて、前記イベントにおいて前記参加者を評価するための評価情報を生成する評価情報生成部と、
前記所定の領域の位置を示す前記位置情報、前記情報端末を識別する端末識別情報、及び前記評価情報生成部が生成する前記評価情報を含む参加者情報を、前記イベントに参加する複数の参加者の前記参加者情報を管理する情報処理装置に送信する参加者情報送信部と、
を有する情報端末。
【請求項２】
前記入力情報取得部が取得する前記入力情報は、前記情報端末が備えるマイクで取得した音声に関する情報を含む請求項１に記載の情報端末。
【請求項３】
前記採点情報は、第１のしきい値を含み、
前記評価情報生成部は、前記取得した音声の大きさが第１の所定の時間以上、前記第１のしきい値を超えた場合、前記評価情報の点数に第１の所定の点数を加点する請求項２に記載の情報端末。
【請求項４】
前記採点情報は、前記第１のしきい値より小さい第２のしきい値を含み、
前記評価情報生成部は、前記取得した音声の大きさが予め定められた第２の所定の時間以上、前記第２のしきい値を下回った場合、前記評価情報の点数から第２の所定の点数を減点する請求項３に記載の情報端末。
【請求項５】
前記情報端末は、前記取得した音声の大きさに基づいて、前記イベントにおける前記参加者の発話回数を検知する第１の検知部を有し、
前記採点情報は、前記参加者の発話回数に応じた点数の情報を含み、
前記評価情報生成部は、前記評価情報の点数に前記参加者の発話回数に応じた点数を加点する請求項２に記載の情報端末。
【請求項６】
前記情報端末は、前記取得した音声の大きさと周波数とに基づいて、前記イベントの盛り上がりを検知する第２の検知部を有し、
前記採点情報は、前記イベントの盛り上がりに応じた点数の情報を含み、
前記評価情報生成部は、前記評価情報の点数に前記イベントの盛り上がりに応じた点数を加点する請求項２又は５に記載の情報端末。
【請求項７】
前記情報端末は、前記取得した音声から笑い声を検知する第３の検知部を有し、
前記採点情報は、前記イベントにおける前記笑い声の回数又は頻度に応じた点数の情報を含み、
前記評価情報生成部は、前記評価情報の点数に前記笑い声の回数又は頻度に応じた点数を加点する請求項２、５、６のいずれか一項に記載の情報端末。
【請求項８】
前記入力情報取得部が取得する前記入力情報は、前記イベントで出題される問題に対して、前記情報端末に入力される解答情報を含み、
前記採点情報は、前記解答情報を採点するための情報を含み、
前記評価情報生成部は、前記採点情報を用いて前記入力された解答情報を採点し、前記採点した点数を含む前記評価情報を生成する請求項１に記載の情報端末。
【請求項９】
前記イベントは、前記複数の参加者が参加する会議、講義、又は研修を含む請求項１乃至８のいずれか一項に記載の情報端末。
【請求項１０】
前記出力装置から出力される識別情報は、所定の時間間隔で、又は所定の時間に変更される請求項１乃至９のいずれか一項に記載の情報端末。
【請求項１１】
請求項１乃至１０のいずれか一項に記載の情報端末と、前記情報端末とネットワークを介して通信可能な情報処理装置とを含む情報処理システムであって、
前記情報処理装置は、
所定の領域で開催されるイベントに参加する参加者の前記情報端末から送信される、前記所定の領域の位置を示す前記位置情報、前記情報端末を識別する端末識別情報、及び前記イベントにおいて前記参加者を評価するための評価情報を含む参加者情報である第１の参加者情報を受信する参加者情報受信部と、
前記参加者情報受信部が受信する前記第１の参加者情報に基づいて、前記端末識別情報と、前記評価情報と、前記所定の領域を示す情報と、前記参加者情報が作成又は取得された日時を示す日時情報と、を含む第２の参加者情報を管理する参加者情報管理部と、
前記参加者を評価するシステム又は装置からの要求に応じて、前記参加者情報管理部が管理する前記第２の参加者情報を提供する参加者情報提供部と、
を有する、情報処理システム。
【請求項１２】
請求項１乃至１０のいずれか一項に記載の情報端末とネットワークを介して通信可能な情報処理装置であって、
所定の領域で開催されるイベントに参加する参加者の前記情報端末から送信される、前記所定の領域の位置を示す前記位置情報、前記情報端末を識別する端末識別情報、及び前記イベントにおいて前記参加者を評価するための評価情報を含む参加者情報である第１の参加者情報を受信する参加者情報受信部と、
前記参加者情報受信部が受信する前記第１の参加者情報に基づいて、前記端末識別情報と、前記評価情報と、前記所定の領域を示す情報と、前記参加者情報が作成又は取得された日時を示す日時情報と、を含む第２の参加者情報を管理する参加者情報管理部と、
前記イベントにおいて前記参加者を評価するシステム又は装置からの要求に応じて、前記参加者情報管理部が管理する前記第２の参加者情報を提供する参加者情報提供部と、
を有する情報処理装置。
【請求項１３】
所定の領域で開催されるイベントに参加する参加者が所持する情報端末に、
前記所定の領域に設けられた出力装置から出力される識別情報に基づいて、前記所定の領域の位置を示す位置情報を取得するステップと、
前記イベントにおいて、前記参加者に対応する所定の入力情報を取得するステップと、
取得した前記入力情報と予め定められた採点情報とを用いて、前記イベントにおいて前記参加者を評価するための評価情報を生成するステップと、
前記所定の領域の位置を示す前記位置情報、前記情報端末を識別する端末識別情報、及び生成された前記評価情報を含む参加者情報を、前記イベントに参加する複数の参加者の前記参加者情報を管理する情報処理装置に送信するステップと、
を実行させるためのプログラム。
【請求項１４】
所定の領域で開催されるイベントに参加する参加者が所持する情報端末と、前記情報端末とネットワークを介して通信可能な情報処理装置とを含む情報処理システムにおける情報処理方法であって、
前記情報端末が、
前記所定の領域に設けられた出力装置から出力される識別情報に基づいて、前記所定の領域の位置を示す位置情報を取得するステップと、
前記イベントにおいて、前記参加者に対応する所定の入力情報を取得するステップと、
取得した前記入力情報と予め定められた採点情報とを用いて、前記イベントにおいて前記参加者を評価するための評価情報を生成するステップと、
前記所定の領域の位置を示す前記位置情報、前記情報端末を識別する端末識別情報、及び生成された前記評価情報を含む第１の参加者情報を、前記情報処理装置に送信するステップと、
前記情報処理装置が、
前記情報端末から送信される前記第１の参加者情報を受信するステップと、
受信した前記第１の参加者情報に基づいて、前記端末識別情報と、前記評価情報と、前記所定の領域を示す情報と、前記第１の参加者情報が作成又は取得された日時を示す日時情報と、を含む第２の参加者情報を管理するステップと、
前記イベントにおいて前記参加者を評価するシステム又は装置からの要求に応じて、前記第２の参加者情報を提供するステップと、
を含む、情報処理方法。
【発明の詳細な説明】
【技術分野】
【０００１】
本発明は、情報端末、情報処理装置、情報処理システム、情報処理方法、及びプログラムに関する。
【背景技術】
【０００２】
会議室等で開催される会議や、教室等で開催される講義等、所定の領域で開催されるイベントにおいてイベントの活性度を数値化する技術が知られている。
【０００３】
例えば、映像からの躍動感の抽出、音声からの盛り上がり度の抽出、及びアンケートによる各々の心理面の抽出等により、会議や打合せの場における議論の活性度を数値化する測定システムが知られている（例えば、非特許文献１参照）。
【発明の概要】
【発明が解決しようとする課題】
【０００４】
非特許文献１に開示された測定システムによれば、会議や講義等のイベント全体の活性度を評価することができるようになる。
【０００５】
一方、会議や講義等のイベントにおいて、イベント全体の活性度だけではなく、イベントに参加する参加者の各々の参加状況（例えば、参加の有無、発言の有無、イベントへの貢献度、習熟度等）を評価したいという要求がある。
【０００６】
しかし、従来の技術では、イベント全体の活性度を評価することはできるが、イベントに参加する参加者の各々の参加状況について評価することはできないという問題がある。
【０００７】
本発明の実施の形態は、上記問題点に鑑みてなされたものであって、所定の領域で開催されるイベント全体の活性度だけではなく、イベントに参加する参加者の各々の参加状況を評価することができるようにする情報端末を提供することを目的とする。
【課題を解決するための手段】
【０００８】
上記課題を解決するため、本発明の一実施形態に係る情報端末は、所定の領域で開催されるイベントに参加する参加者が所持する情報端末であって、前記所定の領域に設けられた出力装置から出力される識別情報に基づいて、前記所定の領域の位置を示す位置情報を取得する位置情報取得部と、前記イベントにおいて、前記参加者に対応する所定の入力情報を取得する入力情報取得部と、前記入力情報取得部が取得する前記入力情報と予め定められた採点情報とを用いて、前記イベントにおいて前記参加者を評価するための評価情報を生成する評価情報生成部と、前記所定の領域の位置を示す前記位置情報、前記情報端末を識別する端末識別情報、及び前記評価情報生成部が生成する前記評価情報を含む参加者情報を、前記イベントに参加する複数の参加者の前記参加者情報を管理する情報処理装置に送信する参加者情報送信部と、を有する。
【発明の効果】
【０００９】
本発明の実施の形態によれば、所定の領域で開催されるイベント全体の活性度だけではなく、イベントに参加する参加者の各々の参加状況を評価することができるようにする情報端末を提供することができる。
【図面の簡単な説明】
【００１０】
【図１】一実施形態に係る情報処理システムの構成例を示す図である。
【図２】一実施形態に係るコンピュータのハードウェア構成例を示す図である。
【図３】一実施形態に係る情報端末のハードウェア構成例を示す図である。
【図４】第１の実施形態に係る情報処理システムの機能構成図である。
【図５】第１の実施形態に係る位置情報管理サーバが管理する情報の例を示す図である。
【図６】第１実施形態に係る参加者情報管理サーバが管理する情報の例を示す図である。
【図７】第１の実施形態に係る評価システムが管理する情報の例を示す図である。
【図８】第１の実施形態に係る参加開始処理の例を示すシーケンス図である。
【図９】第１の実施形態に係る評価情報の生成処理の例を示すフローチャートである。
【図１０】第１の実施形態に係る評価情報のイメージを示す図である。
【図１１】第１の実施形態に係る参加終了処理の例を示すシーケンス図である。
【図１２】第１の実施形態に係る分析結果の一例を示す図である。
【図１３】第２の実施形態に係る評価情報生成部の機能構成図である。
【図１４】第２の実施形態に係る採点情報の例を示す図である。
【図１５】第３の実施形態に係る情報処理システムの構成例を示す図である。
【図１６】第３の実施形態に係る情報処理システムの機能構成図である。
【図１７】第３の実施形態に係る参加者情報管理サーバが管理する情報の例を示す図である。
【図１８】第３の実施形態に係る評価システムが管理する情報の例を示す図である。
【図１９】第３の実施形態に係る評価情報の登録処理の例を示すシーケンス図である。
【図２０】第３の実施形態に係る情報端末の表示画面の例を示す図である。
【図２１】第３の実施形態に係る分析結果の一例を示す図である。
【発明を実施するための形態】
【００１１】
以下に、本発明の実施の形態について、添付の図面を参照して説明する。
【００１２】
＜システムの構成＞
図１は、一実施形態に係る情報処理システムの構成例を示す図である。情報処理システム１００は、例えば、会議、講義、授業、研修等、所定の領域で開催されるイベントにおいて、イベント全体の活性度や、イベントに参加する参加者の各々参加状況等を評価するシステムである。ここでは、所定の領域で開催されるイベントが、複数の参加者１０６ａ〜１０６ｆが参加する「会議」であるものとして以下の説明を行う。なお、会議は、所定の領域１１０で開催されるイベントの一例である。
【００１３】
図１において、情報処理システム１００は、位置情報管理サーバ１０１、参加者情報管理サーバ１０２、１つ以上の出力装置１０３、ゲートウェイ１０４、複数の情報端末１０５ａ〜１０５ｆ、評価システム１０７、及び評価端末１０８等を含む。
【００１４】
なお、以下の説明の中で、複数の情報端末１０５ａ〜１０５ｆのうち、任意の情報端末を示す場合「情報端末１０５」を用いる。また、複数の参加者１０６ａ〜１０６ｆのうち、任意の参加者を示す場合「参加者１０６」を用いる。さらに、図１に示す出力装置１０３、ゲートウェイ１０４、及び情報端末１０５等の数は一例であり、その数は１つ以上の他の数であっても良い。
【００１５】
位置情報管理サーバ１０１は、例えば、インターネットやＬＡＮ（Local Area Network）等のネットワーク１０９に接続された情報処理装置、又は複数の情報処理装置を含むシステムである。位置情報管理サーバ１０１はネットワーク１０９を介して、ゲートウェイ１０４、情報端末１０５、及び参加者情報管理サーバ１０２等と通信可能である。また、位置情報管理サーバ１０１は、ゲートウェイ１０４を介して、１つ以上の出力装置１０３と通信可能である。
【００１６】
位置情報管理サーバ１０１は、１つ以上の出力装置１０３が出力する識別情報（以下、位置ＩＤと呼ぶ）と、出力装置１０３が設置された所定の領域１１０（例えば、会議室）を示す位置情報（例えば、緯度、経度、高度情報）とを対応付けて管理する。また、位置情報管理サーバ１０１は、出力装置１０３が出力する位置ＩＤを取得した情報端末１０５からの要求に応じて、位置ＩＤに対応する位置情報（緯度、経度、高度）を提供する。
【００１７】
好ましくは、出力装置１０３が出力する位置ＩＤは、位置情報管理サーバ１０１によって、例えば、所定の時間間隔（例えば１時間間隔、２４時間間隔等）で、又は予め設定された時間等に変更される。
【００１８】
参加者情報管理サーバ（情報処理装置）１０２は、ネットワーク１０９に接続された情報処理装置、又は複数の情報処理装置を含むシステムである。参加者情報管理サーバ１０２は、ネットワークを介して、情報端末１０５、評価システム１０７、評価端末１０８、位置情報管理サーバ１０１等と通信可能である。
【００１９】
参加者情報管理サーバ１０２は、所定の領域１１０で開催される会議に参加する参加者１０６の情報端末１０５から送信される参加者情報を受信する。この参加者情報には、情報端末１０５が位置情報管理サーバ１０１から取得した位置情報、情報端末１０５を識別する識別情報（以下、アプリＩＤと呼ぶ）、及び後述する評価情報等が含まれる。また、参加者情報管理サーバ１０２は、受信した参加者情報（第１の参加者情報）に基づいて、アプリＩＤと、評価情報と、所定の領域１１０を示す情報と、第１の参加者情報が作成又は取得された日時を示す日時情報と、を含む第２の参加者情報を管理する。
【００２０】
なお、参加者情報管理サーバ１０２が管理する日時情報は、例えば、情報端末１０５が位置ＩＤを取得した日時や、評価情報を作成した日時を示す情報であっても良いし、情報端末１０５が、参加者情報を送信した日時を示す情報であっても良い。或いは、参加者情報管理サーバ１０２が管理する日時情報は、参加者情報管理サーバ１０２が参加者情報を受信した日時等であっても良い。要するに、参加者情報管理サーバ１０２が管理する日時情報は、参加者情報が作成又は取得された日時を、参加者情報の管理に必要な粒度で特定できるものであれば良い。
【００２１】
また、参加者情報管理サーバ１０２は、例えば、所定の領域１１０で開催される会議における参加者１０６の各々の参加状況を評価する評価システム１０７（又は評価端末１０８）等からの要求に応じて、管理している第２の参加者情報を提供する。
【００２２】
出力装置１０３は、例えば、会議が開催される所定の領域１１０に設けられ、所定の領域１１０を識別する位置ＩＤを含む信号（例えば音波）を、所定の領域１１０内に出力する。
【００２３】
図１の例では、出力装置１０３は、会議が開催される会議室や、ミーティングスペース等の所定の領域１１０に設置され、位置情報管理サーバ１０１から指示された位置ＩＤ（例えば、「ＳＰ０００１」）を含む音波を、所定の領域１１０内に出力している。
【００２４】
前述したように、出力装置１０３が出力する音波に含まれる位置ＩＤは、位置情報管理サーバ１０１によって、例えば、所定の時間間隔で、又は予め設定された時間に変更されることが望ましい。
【００２５】
ゲートウェイ１０４は、ネットワーク１０９を介して位置情報管理サーバ１０１と通信可能であると共に、１つ以上の出力装置１０３と共に所定の無線通信ネットワークを形成している。また、ゲートウェイ１０４は、ゲートウェイ１０４が提供する無線通信ネットワークに接続された出力装置１０３と、位置情報管理サーバ１０１との間のデータの中継（転送）を行う。これにより、１つ以上の出力装置１０３は、ゲートウェイ１０４を介して、位置情報管理サーバ１０１と通信可能である。
【００２６】
情報端末１０５は、会議の参加者１０６が所持する、例えば、スマートフォン、タブレット端末、又はノートＰＣ（Personal Computer）等の情報処理装置である。情報端末１０５は、例えば、無線ＬＡＮや、ＬＴＥ（Long Term Evolution）等の無線通信によりネットワーク１０９に接続し、位置情報管理サーバ１０１、及び参加者情報管理サーバ１０２等と通信可能である。
【００２７】
図１の例では、参加者１０６ａ（以下、参加者Ａと呼ぶ）は、情報端末１０５ａを所持しており、参加者１０６ｂ（以下、参加者Ｂと呼ぶ）は、情報端末１０５ｂを所持しているものとする。また、参加者１０６ｃ（以下、参加者Ｃと呼ぶ）は、情報端末１０５ｃを所持しており、参加者１０６ｄ（以下、参加者Ｄと呼ぶ）は、情報端末１０５ｄを所持しているものとする。同様に、参加者１０６ｅ（以下、参加者Ｅと呼ぶ）は、情報端末１０５ｅを所持しており、参加者１０６ｆ（以下、参加者Ｆと呼ぶ）は、情報端末１０５ｆを所持しているものとする。
【００２８】
これにより、例えば、情報端末１０５ａは、内蔵されたマイクを用いて、参加者Ａの音声を、他の参加者Ｂ〜Ｆの音声より大きい音声信号のレベルで取得することができるものとする。同様に、例えば、情報端末１０５ｂは、内蔵されたマイクを用いて、参加者Ｂの音声を、他の参加者音声より大きい音声信号のレベルで取得することができる。
【００２９】
情報端末１０５は、情報処理システム１００に対応する情報端末１０５用のアプリケーションプログラム（以下、アプリと呼ぶ）を実行することにより、内蔵されたマイクを用いて、出力装置１０３が出力する音波に含まれる位置ＩＤを取得する。
【００３０】
また、情報端末１０５は、例えば、所定の領域１１０で取得した位置ＩＤを含む要求情報を位置情報管理サーバ１０１に送信し、位置情報管理サーバ１０１から、所定の領域１１０を示す位置情報（緯度、経度、高度情報）を取得する。
【００３１】
さらに、情報端末１０５は、所定の領域１１０で開催される会議において、情報端末１０５を所持する参加者１０６に対応する所定の入力情報（例えば、参加者の音声、又は参加者が情報端末１０５に入力する解答等）を取得する。
【００３２】
また、情報端末１０５は、取得した所定の入力情報と予め定められた採点情報とを用いて、所定の領域１１０で開催される会議において、参加者１０６を評価するための評価情報を生成する。
【００３３】
一例として、参加者１０６に対応する所定の入力情報は、情報端末１０５のマイクで取得した音声信号の大きさを示す情報であり、評価情報は、参加者１０６の会議への参加状況を評価するための指標として、参加者１０６の発話状況を数値化した情報である。
【００３４】
例えば、情報端末１０は、予め定められた採点情報として、第１のしきい値を有しており、情報端末１０５のマイクで取得した音声信号の大きさが、第１の所定の時間以上、第１のしきい値を超えた場合、評価情報の点数に所定の点数を加点する。また、情報端末１０は、予め定められた採点情報として、第２のしきい値を有しており、情報端末１０５のマイクで取得した音声信号の大きさが、第２の所定の時間以上、第２のしきい値を下回った場合、評価情報の点数から所定の点数を減点する。これにより、情報端末１０は、会議における、情報端末１０５を所持する参加者１０６の発話状況を数値化することができる。
【００３５】
なお、評価情報については、後述する第１〜３の実施形態の中で改めて説明する。
【００３６】
情報端末１０は、生成した評価情報と、情報端末１０のアプリＩＤと、所定の領域１１０の位置情報と、を含む第１の参加者情報を、参加者情報管理サーバ１０２に送信する。これにより、参加者情報管理サーバ１０２は、所定の領域１１０で開催される会議において、複数の参加者１０６ａ〜１０６ｆを評価するための評価情報を取得し、管理することができるようになる。
【００３７】
評価システム１０７は、ネットワーク１０９に接続された情報処理装置、又は複数の情報処理装置を含むシステムである。評価システム１０７は、ネットワークを介して、参加者情報管理サーバ１０２や、評価端末１０８等と通信可能である。
【００３８】
評価システム１０７は、例えば、会議が開催される企業や、教育施設等に設置され、情報端末１０５のアプリＩＤと、情報端末１０５を所持する参加者１０６の情報（例えば、ユーザ名、ユーザＩＤ等）とを対応付けて記憶したユーザ情報を管理している。
【００３９】
また、評価システム１０７は、会議を識別するための情報（例えば会議名、会議ＩＤ等）と、会議が開催される場所を示す場所情報と、会議が開催される日時を示す開催日時と、を対応付けて記憶した会議情報を管理している。
【００４０】
評価システム１０７は、会議情報に含まれる場所情報と開催日時とを用いて、参加者情報管理サーバ１０２から、会議に参加する参加者１０６に関する参加者情報を取得し、会議の活性度や、会議に参加する参加者１０６の参加状況等の分析や、評価を行う。
【００４１】
評価端末１０８は、例えば、ＰＣや、タブレット端末等の情報処理装置であり、ネットワーク１０９を介して、評価システム１０７、参加者情報管理サーバ１０２等と通信可能である。評価端末１０８は、例えば、評価システム１０７に接続して、会議の活性度や、会議に参加する参加者１０６の参加状況等の評価を要求し、評価システム１０７による分析結果等を閲覧することができる。或いは、評価端末１０８は、評価システム１０７の機能を有し、会議の活性度や、会議に参加する参加者１０６の参加状況等を評価するものであっても良い。
【００４２】
上記の構成により、所定の領域１１０で開催される会議の参加者１０６は、会議に参加するとき、情報端末１０でアプリを実行し、会議への参加操作を行う。このとき、情報端末１０５は、所定の領域１１０の位置情報を取得し、取得した位置情報と、情報端末１０５のアプリＩＤとを参加者情報管理サーバ１０２に送信する。
【００４３】
また、情報端末１０５は、参加者１０６に対応する所定の入力情報（例えば、マイクで取得した音声信号のレベル）と、予め定められた採点情報（例えば、第１、２のしきい値）とを用いて、参加者１０６を評価するための評価情報を生成する。
【００４４】
さらに、情報端末１０は、例えば、参加者１０６が会議を退出するとき、所定の領域１１０の位置情報と、情報端末１０のアプリＩＤと、生成した評価情報と、を含む参加者情報を、参加者情報管理サーバ１０２に送信する。
【００４５】
これにより、参加者情報管理サーバ１０２は、複数の情報端末１０５ａ〜１０５ｆから送信される参加者情報を取得し、会議に参加する複数の参加者１０６ａ〜１０６ｆを評価するための評価情報を管理することができるようになる。
【００４６】
従って、本実施形態に係る情報端末１０５によれば、所定の領域１１０で開催されるイベント（会議）全体の活性度だけではなく、イベントに参加する参加者１０６の各々の参加状況を評価することができるようになる。
【００４７】
なお、図１に示す情報処理システム１００のシステム構成は一例である。所定の領域１１０で開催されるイベントは、会議に限られず、講義、授業、研修等の他のイベントであっても良い。
【００４８】
また、情報端末１０５が取得する音声信号の大きさは、参加者１０６に対応する所定の入力情報の一例である。参加者１０６に対応する所定の入力情報は、例えば、情報端末１０５が取得する音声信号に含まれる音声の周波数や、音声の数等の情報であっても良い。
【００４９】
さらに、参加者１０６に対応する所定の入力情報は、例えば、参加者１０６によって、情報端末１０５のタッチパネルディスプレイ等に入力される入力情報等であっても良い。
【００５０】
＜ハードウェア構成＞
（コンピュータのハードウェア構成）
位置情報管理サーバ１０１、参加者情報管理サーバ１０２、評価システム１０７、及び評価端末１０８は、一般的なコンピュータの構成を有している。ここでは、コンピュータのハードウェア構成例について説明する。
【００５１】
図２は、一実施形態に係るコンピュータのハードウェア構成例を示す図である。コンピュータ２００は、例えば、ＣＰＵ（Central Processing Unit）２０１、ＲＡＭ（Random Access Memory）２０２、ＲＯＭ（Read Only Memory）３０３、ストレージ装置２０４、ネットワークＩ／Ｆ（Interface）２０５、入力装置２０６、表示装置２０７、外部Ｉ／Ｆ２０８、及びバス２０９等を有する。
【００５２】
ＣＰＵ２０１は、ＲＯＭ２０３やストレージ装置２０４等に格納されたプログラムやデータをＲＡＭ２０２上に読み出し、処理を実行することで、コンピュータ２００の各機能を実現する演算装置である。ＲＡＭ２０２は、ＣＰＵ２０１のワークエリア等として用いられる揮発性のメモリである。ＲＯＭ２０３は、電源を切ってもプログラムやデータを保持することができる不揮発性のメモリである。
【００５３】
ストレージ装置２０４は、例えば、ＨＤＤ（Hard Disk Drive）や、ＳＳＤ（Solid State Drive）等の大容量記憶装置であり、ＯＳ（Operation System）、アプリケーションプログラム、各種データ等を記憶する。
【００５４】
ネットワークＩ／Ｆ２０５は、コンピュータ２００をネットワーク１０９に接続するための通信インタフェースである。
【００５５】
入力装置２０６は、マウス等のポインティングデバイスや、キーボード等の入力デバイスであり、コンピュータ２００に操作信号を入力するために用いられる。表示装置２０７はディスプレイ等の表示デバイスであり、コンピュータ２００による処理結果等を表示する。
【００５６】
外部Ｉ／Ｆ２０８は、外部装置とのインタフェースである。外部装置には、例えば、記録媒体２１０等が含まれる。コンピュータ２００は、外部Ｉ／Ｆ２０８を介して、記録媒体２１０の読取り及び／又は書き込みを行うことができる。記録媒体２１０には、例えば、光学ディスク、磁気ディスク、メモリカード、ＵＳＢ（Universal Serial Bus）メモリ等が含まれる。また、コンピュータ２００は、記録媒体２１０に所定のプログラムを格納し、この記録媒体２１０に格納されたプログラムを外部Ｉ／Ｆ２０８を介して、コンピュータ２００にインストールすることにより、所定のプログラムが実行可能となる。
【００５７】
バス２０９は、上記の各構成要素に接続され、アドレス信号、データ信号、及び各種制御信号等を伝送する。
【００５８】
なお、図２に示すコンピュータ２００の構成は一例である。例えば、コンピュータ２００は、入力装置２０６、表示装置２０７等を外部に有していても良いし、入力装置２０６及び表示装置２０７は、例えば、タッチパネルディスプレイ等の一体型の表示入力装置等であっても良い。
【００５９】
（情報端末のハードウェア構成）
図３は、一実施形態に係る情報端末のハードウェア構成例を示す図である。情報端末１０５は、一般的なコンピュータの構成を含み、例えば、ＣＰＵ３０１、ＲＡＭ３０２、ＲＯＭ３０３、ストレージ装置３０４、通信Ｉ／Ｆ３０５、表示入力装置３０６、マイク部３０７、及びバス３０８等を有する。
【００６０】
ＣＰＵ３０１は、ＲＯＭ３０３やストレージ装置３０４等に格納されたプログラムやデータをＲＡＭ３０２上に読み出し、処理を実行することで、情報端末１０５の各機能を実現する演算装置である。ＲＡＭ３０２は、ＣＰＵ３０１のワークエリア等として用いられる揮発性のメモリである。ＲＯＭ３０３は、電源を切ってもプログラムやデータを保持することができる不揮発性のメモリである。ストレージ装置３０４は、例えば、ＨＤＤ、ＳＳＤ、フラッシュＲＯＭ等のストレージデバイスであり、ＯＳ、アプリケーションプログラム、及び各種データ等を記憶する。
【００６１】
通信Ｉ／Ｆ３０５は、例えば、ＬＴＥ等の移動通信網や、無線ＬＡＮ等の無線通信に対応した通信インタフェースである。情報端末１０５は、通信Ｉ／Ｆ３０５を介して、ネットワーク１０９に接続し、通信を行うことができる。
【００６２】
表示入力装置３０６は、例えば、タッチパネルディスプレイ等の表示入力デバイスであり、情報端末１０５で実行されるプログラム等による表示画面を表示すると共に、利用者による入力操作を受け付ける。なお、表示入力装置３０６は、表示装置と、入力装置とが別々に設けられていても良い。
【００６３】
マイク部３０７は、情報端末１０５の周囲の音や、利用者の音声等を音声信号に変換する。バス３０８は、上記の各構成要素に接続され、アドレス信号、データ信号、及び各種制御信号等を伝送する。
【００６４】
［第１の実施形態］
＜機能構成＞
図４は、第１の実施形態に係る情報処理システムの機能構成図である。情報処理システム１００は、位置情報管理サーバ１０１、参加者情報管理サーバ１０２、ゲートウェイ１０４、情報端末１０５、及び評価システム１０７等が、ネットワーク１０９を介して通信可能に接続されている。また、情報処理システム１００は、ゲートウェイ１０４を介して、位置情報管理サーバ１０１と通信可能な１つ以上の出力装置１０３を含む。なお、図１に示した評価端末１０８は、例えば、ウェブブラウザを利用可能な汎用のＰＣ、又は評価システム１０７と同様の構成を有するＰＣなので、ここでは説明を省略する。
【００６５】
（位置情報管理サーバの機能構成）
位置情報管理サーバ１０１は、通信制御部４１１、位置情報管理部４１２、及び記憶部４１３等を有する。
【００６６】
通信制御部４１１は、例えば、図２のネットワークＩ／Ｆ２０５を用いて、ゲートウェイ１０４、情報端末１０５、及び評価端末１０８等と通信を行うと共に、ゲートウェイ１０４を介して出力装置１０３と通信を行うための手段である。通信制御部４１１は、例えば、図２のＣＰＵ２０１で実行されるプログラムによって実現される。
【００６７】
位置情報管理部４１２は、出力装置１０３が出力する信号に含まれる位置ＩＤと、出力装置１０３が設置された場所を示す位置情報（例えば、緯度、経度、高度等の三次元の座標情報）とを対応付けて、記憶部４１３に記憶して管理する。位置情報管理部４１２は、例えば、図２のＣＰＵ２０１で実行されるプログラムによって実現される。
【００６８】
図５は、第１の実施形態に係る位置情報管理サーバが管理する情報の例を示す図である。図５の例では、位置情報管理サーバ１０１の記憶部４１３に記憶される位置情報４１４には、「出力装置ＩＤ」、「位置ＩＤ」、及び「位置情報（緯度、経度、高度）」等の情報が含まれる。
【００６９】
「出力装置ＩＤ」は、位置情報管理サーバ１０１が、出力装置１０３を識別し、管理するための識別情報である。出力装置１０３の位置ＩＤが変更された場合でも、出力装置１０３の出力装置ＩＤは変更されないので、位置情報管理サーバ１０１は、出力装置ＩＤを用いて出力装置１０３を識別し、管理することができる。
【００７０】
「位置ＩＤ」は、出力装置１０３が出力する位置ＩＤを含む音波によって形成される領域（例えば、会議室、教室等）を識別するための識別情報であり、出力装置１０３が設置された場所を示す「位置情報（緯度、経度、高度）」と対応付けて記憶されている。これにより、位置情報管理サーバ１０１は、情報端末１０５から送信される位置情報の取得要求に含まれる位置ＩＤに基づいて、情報端末１０５が位置ＩＤを取得した場所を示す位置情報（緯度、経度、高度）を特定（識別）することができる。
【００７１】
「位置情報（緯度、経度、高度）」は、出力装置１０３が設置された場所を示す３次元の座標情報であり、例えば、緯度、経度、及び高度で表される。「位置情報（緯度、経度、高度）」は、例えば、出力装置１０３を設置する担当者等が、出力装置１０３を取り付けたとき等に測定される座標情報等に基づいて、位置情報４１４に予め記憶しているものとする。
【００７２】
また、位置情報管理部４１２は、情報端末１０５から、情報端末１０５のアプリＩＤと、情報端末１０５が取得した位置ＩＤとを含む位置情報の取得要求に応じて、位置ＩＤに対応する位置情報（緯度、経度、高度）を情報端末１０５に提供（送信）する。
【００７３】
記憶部４１３は、位置情報４１４等の情報を記憶する手段であり、例えば、図２のストレージ装置２０４、及び図２のＣＰＵ２０１で実行されるプログラム等によって実現される。
【００７４】
上記の構成により、位置情報管理サーバ１０１は、出力装置１０３から位置ＩＤを取得した情報端末１０５からの要求に応じて、出力装置１０３が設置された場所を示す位置情報を、要求元の情報端末１０５に提供する。
【００７５】
（参加者情報管理サーバ）
参加者情報管理サーバ（情報処理装置）１０２は、通信制御部４２１、参加者情報受信部４２２、参加者情報管理部４２３、施設情報管理部４２４、参加者情報提供部４２５、及び記憶部４２６を有する。
【００７６】
通信制御部４２１は、例えば、図２のネットワークＩ／Ｆ２０５を用いて、情報端末１０５、評価システム１０７、評価端末１０８、及び位置情報管理サーバ１０１等と通信を行うための手段である。通信制御部４２１は、例えば、図２のＣＰＵ２０１で実行されるプログラムによって実現される。
【００７７】
参加者情報受信部４２２は、例えば、図２のＣＰＵ２０１で実行されるプログラムによって実現され、所定の領域１１０で開催される会議（イベントの一例）に参加する複数の参加者１０６の情報端末１０５から送信される参加者情報を受信する。この参加者情報（第１の参加者情報）には、所定の領域１１０の位置を示す位置情報、情報端末１０５を識別するアプリＩＤ、及び所定の領域１１０で開催される会議において参加者１０６を評価するための評価情報等が含まれる。
【００７８】
参加者情報管理部４２３は、例えば、図２のＣＰＵ２０１で実行されるプログラムによって実現される。参加者情報管理部４２３は、参加者情報受信部４２２が受信する第１の参加者情報に基づいて、アプリＩＤと、評価情報と、所定の領域１１０を示す場所情報と、第１の参加者情報が作成又は取得された日時を示す日時情報とを対応付けて記憶した参加者情報４２７（第２の参加者情報）を管理する。
【００７９】
参加者情報管理部４２３が管理する参加者情報４２７の例を図６（ａ）に示す。図９（ａ）の例では、参加者情報４２７には、「アプリＩＤ」、「日時」、「場所情報」、及び「評価情報」等の情報が含まれる。
【００８０】
「アプリＩＤ」の情報は、情報端末１０５を識別する識別情報である。アプリＩＤは、例えば、情報端末１０５に、情報処理システム１００に対応するアプリをインストールした際等に、アプリによって生成される端末識別情報である。参加者情報管理サーバ１０２は、アプリＩＤを用いることにより、参加者１０６の個人情報を管理することなく、情報端末１０５を識別することができる。
【００８１】
「日時」の情報は、参加者情報が作成又は取得された日時を示す情報である。この「日時」の情報は、例えば、情報端末１０５が位置ＩＤを取得した日時、評価情報を生成した日時、参加者情報を送信した日時、参加者情報を受信した日時等、参加者情報が作成又は取得された日時を必要な粒度で特定できるものであれば良い。
【００８２】
「場所情報」は、情報端末１０５が位置ＩＤを取得した、所定の領域１１０を示す情報である。
【００８３】
好ましくは、参加者情報管理部４２３は、参加者情報に含まれる位置情報（緯度、経度、高度）を、後述する施設情報４２８を用いて、例えば、会議室名等、会議が開催される場所を示す情報に変換して管理する。
【００８４】
なお、参加者情報４２７に含まれる「場所情報」は、参加者情報に含まれる位置情報（緯度、経度、高度）であっても良い。この場合、後述する参加者情報提供部４２５が、参加者情報を提供する際に、位置情報（緯度、経度、高度）を、会議が開催される場所を示す情報に変換すれば良い。
【００８５】
「評価情報」は、参加者情報受信部４２２が受信する参加者情報に含まれている評価情報である。例えば、会議の開始時等、参加者情報受信部４２２が受信する参加者情報に評価情報が含まれていない場合には、「評価情報」は記憶されない。
【００８６】
施設情報管理部４２４は、例えば、図２のＣＰＵ２０１で実行されるプログラムによって実現され、出力装置１０３が設置された場所を示す場所情報（例えば、会議室名等）と、位置情報（緯度、経度、高度）とを、対応付けて記憶した施設情報４２８を管理する。
【００８７】
施設情報管理部４２４が管理する施設情報４２８の例を図６（ｂ）に示す。図６（ｂ）の例では、施設情報４２８には、「場所情報」と「位置情報（緯度、経度、高度）」とが対応付けて記憶されている。
【００８８】
「場所情報」は、例えば、会議が開催される場所を示す会議室や、講義が開催される場所を示す教室等を示す情報である。場所情報は、例えば、図６（ｂ）に示すように、場所を示す会議室名等の情報であっても良いし、場所を識別する識別情報等の情報であっても良い。
【００８９】
「位置情報（緯度、経度、高度）」は、例えば、場所情報が示す場所に設置された１つ以上の出力装置１０３が設置されている位置を示す３次元の座標情報である。参加者情報管理サーバ１０２は、この施設情報４２８を用いて、所定の領域１１０の位置情報（緯度、経度、高度）を、会議室名や、教室名等の場所情報に変換することができる。
【００９０】
参加者情報提供部４２５は、例えば、図２のＣＰＵ２０１で実行されるプログラムによって実現される。参加者情報提供部４２５は、所定の領域１１０で開催される会議等のイベントや、イベントに参加する参加者１０６等を評価する評価システム１０７又は評価端末１０８等からの要求に応じて、参加者情報管理部４２３が管理する参加者情報４２７を提供する。
【００９１】
記憶部４２６は、例えば、図２のストレージ装置２０４、及び図２のＣＰＵ２０１で実行されるプログラム等によって実現され、参加者情報４２７、施設情報４２８等を記憶する。
【００９２】
上記の構成により、参加者情報管理サーバ１０２は、会議に参加する複数の情報端末１０５のアプリＩＤ、評価情報、所定の領域１１０の場所を示す情報、及び日時情報を含む参加者情報４２７（第２の参加者情報）を管理する。また、参加者情報管理サーバ１０２は、評価システム１０７等からの要求に応じて、参加者情報４２７の一部、又は全部を評価システム１０７等に提供する。
【００９３】
なお、参加者情報管理サーバ１０２が、情報端末１０５から受信する第１の参加者情報と、記憶部４２６に記憶して管理する第２の参加者情報は、同一の情報であっても良いし、「場所情報」のフォーマット等、情報の一部が異なる情報であっても良い。
【００９４】
（出力装置の機能構成）
出力装置１０３は、例えば、位置ＩＤ出力部４３１、位置ＩＤ記憶部４３２等を有する。
【００９５】
位置ＩＤ記憶部４３２は、例えば、位置情報管理サーバ１０１から通知される位置ＩＤを記憶する。位置ＩＤ出力部４３１は、例えば、位置ＩＤ記憶部４３２に記憶された位置ＩＤを含む音波を出力する。
【００９６】
好ましくは、位置ＩＤ出力部４３１は、位置ＩＤを含む音波を、音声周波数帯域のうち、例えば、１６ｋＨｚ以上の高い周波数で出力する。音波は、高い周波数ほど指向性が高く、１６ｋＨｚ以上の周波数は人間にはほとんど聞こえないため、位置ＩＤ等の情報を送信するために好適である。
【００９７】
上記の構成により、出力装置１０３は、位置情報管理サーバ１０１から通知される位置ＩＤを含む音波を、所定の領域１１０に出力する。
【００９８】
（情報端末の機能構成）
情報端末１０５は、通信制御部４５１、位置情報取得部４５２、音声情報取得部４５３、評価情報生成部４５４、参加者情報送信部４５５、表示制御部４５６、操作受付部４５７、及び記憶部４５８を有する。
【００９９】
通信制御部４５１は、例えば、図３の通信Ｉ／Ｆ３０５を用いて、情報端末１０５をネットワーク１０９に接続し、位置情報管理サーバ１０１、及び参加者情報管理サーバ１０２等との通信を行うための手段である。通信制御部４５１は、例えば、図３のＣＰＵ３０１で実行されるプログラム（情報処理システム１００に対応するアプリ等）によって実現される。
【０１００】
位置情報取得部４５２は、例えば、図３のＣＰＵ３０１で実行されるプログラムによって実現され、所定の領域１１０に設けられた出力装置１０３から出力される位置ＩＤに基づいて、所定の領域１１０の位置を示す位置情報（緯度、経度、高度）を取得する。
【０１０１】
例えば、位置情報取得部４５２は、マイク部３０７を用いて、出力装置１０３が出力する音波を取得し、取得した音波に含まれる位置ＩＤを抽出する。また、位置情報取得部４５２は、抽出した位置ＩＤを含む位置情報の取得要求を位置情報管理サーバ１０１に送信し、位置情報管理サーバ１０１から通知される位置情報（緯度、経度、高度）を取得する。
【０１０２】
音声情報取得部（入力情報取得部の一例）４５３は、例えば、図３のマイク部３０７、及び図３のＣＰＵ３０１で実行されるプログラム等によって実現される。音声情報取得部４５３は、所定の領域１１０で開催される会議において、参加者１０６に対応する音声情報（所定の入力情報の一例）を取得する。例えば、音声情報取得部４５３は、マイク部３０７で取得した音声信号の大きさ（レベル）を示す音声情報を取得する。
【０１０３】
好ましくは、音声情報取得部４５３は、マイク部３０７で取得した音声信号のうち、出力装置１０３が出力する音波を除外（フィルタリング）して、参加者１０６の音声の大きさを示す音声情報を取得する。
【０１０４】
評価情報生成部４５４は、例えば、図３のＣＰＵ３０１で実行されるプログラムによって実現され、音声情報取得部４５３が取得する音声情報と、予め定められた採点情報とを用いて、会議において参加者１０６を評価するための評価情報を生成する。
【０１０５】
例えば、評価情報生成部４５４は、音声情報取得部４５３が取得する音波信号の大きさが、第１の所定の時間（例えば１０秒）以上、第１のしきい値（予め定められた採点情報の一例）を超えた場合、評価情報の点数に所定の点数（例えば５点）を加算する。
【０１０６】
また、評価情報生成部４５４は、音声情報取得部４５３が取得する音波信号のレベルが、第２の所定の時間（例えば５分）以上、第２のしきい値（採点情報の一例）を下回った場合、評価情報の点数から所定の点数（例えば５点）を減算する。
【０１０７】
例えば、評価情報生成部４５４は、情報端末１０５を所持する参加者１０６が会議を退出するとき、或いは所定の時間（例えば２時間）を経過したときの点数を、所定の領域１１０で開催される会議における参加者１０６の評価点（評価情報）とする。
【０１０８】
参加者情報送信部４５５は、例えば、図３のＣＰＵ３０１で実行されるプログラムによって実現される。参加者情報送信部４５５は、位置情報取得部４５２が取得する位置情報（緯度、経度、高度）、情報端末１０５のアプリＩＤ、及び評価情報生成部４５４が生成する評価情報を含む第１の参加者情報を、参加者情報管理サーバ１０２に送信する。
【０１０９】
表示制御部４５６は、例えば、図３のＣＰＵ３０１で実行されるプログラムによって実現され、アプリ等の表示画面を、図３の表示入力装置３０６等に表示させる。
【０１１０】
操作受付部４５７は、例えば、図３のＣＰＵ３０１で実行されるプログラムによって実現され、参加者１０６による入力操作（例えば、会議への参加操作、会議からの退出操作等）を受付する。
【０１１１】
記憶部４５８は、例えば、図３のストレージ装置３０４、及び図３のＣＰＵ３０１で実行されるプログラム等によって実現され、前述した第１のしきい値、第２のしきい値等の予め定められた採点情報を記憶する。
【０１１２】
上記の構成により、情報端末１０５は、例えば、情報端末１０５が取得する音声情報と予め定められた第１のしきい値及び第２のしきい値とを用いて、会議において情報端末１０５を所持する参加者１０６を評価するための評価情報を生成する。
【０１１３】
また、情報端末１０５は、会議が開催されている所定の領域１１０の位置情報、情報端末１０５のアプリＩＤ、及び生成した評価情報等を含む第１の参加者情報を、参加者情報管理サーバ１０２に送信する。
【０１１４】
（評価システムの機能構成）
評価システム１０７は、通信制御部４７１、参加者情報取得部４７２、情報分析部４７３、分析情報提供部４７４、及び記憶部４７５を有する。
【０１１５】
通信制御部４７１は、例えば、図２のネットワークＩ／Ｆ２０５を用いて、評価システム１０７をネットワーク１０９に接続し、参加者情報管理サーバ１０２等と通信を行うための手段である。通信制御部４７１は、例えば、図２のＣＰＵ２０１で実行されるプログラムによって実現される。
【０１１６】
参加者情報取得部４７２は、例えば、図２のＣＰＵ２０１で実行されるプログラムによって実現される。参加者情報取得部４７２は、記憶部４７５に記憶された会議情報４７６に基づいて、会議に参加した参加者１０６（又は情報端末１０５）に関する第２の参加者情報を、参加者情報管理サーバ１０２から取得する。
【０１１７】
図７（ａ）は、記憶部４７５に記憶された会議情報４７６の例を示している。図７（ａ）の例では、会議情報４７６は、「会議名」、「場所情報」、「開催日時」等の情報を含む。
【０１１８】
「会議名」は、会議を識別する会議名や識別情報等の情報である。「場所情報」は、会議が開催される場所を示す情報である。「開催日時」は、会議が開催される日時（期間）を示す情報である。
【０１１９】
参加者情報取得部４７２は、図７（ａ）において、会議名「会議１」に関する参加者情報を取得する場合、場所情報「第１会議室」、開催日時「２０ｘｘ．１．１０  ９：００−１１：００」を含む参加者情報の取得要求を参加者情報管理サーバ１０２に送信する。これにより、例えば、図６（ａ）に示すような参加者情報４２７から、「会議１」に関する評価情報が抽出され、抽出された第２の参加者情報が、評価システム１０７に提供される。
【０１２０】
情報分析部４７３は、例えば、図２のＣＰＵ２０１で実行されるプログラムによって実現される。情報分析部４７３は、例えば、参加者情報取得部４７２が取得した第２の参加者情報や、記憶部４７５に記憶されたユーザ情報４７７等を用いて、会議の活性度や、会議の参加者１０６の参加状況等を評価する分析情報を作成する。
【０１２１】
図７（ｂ）は、記憶部４７５に記憶されたユーザ情報４７７の例を示している。図７（ｂ）の例では、ユーザ情報４７７には、「アプリＩＤ」、「ユーザＩＤ」、「ユーザ名」等の情報が含まれている。
【０１２２】
「アプリＩＤ」は、情報端末１０５を識別する識別情報である。「ユーザＩＤ」は、参加者１０６を識別する識別情報（例えば、社員ＩＤ、受講者ＩＤ、学籍ＩＤ等）である。「ユーザ名」は、参加者１０６の氏名等の情報である。
【０１２３】
評価システム１０７は、ユーザ情報４７７を用いて、アプリＩＤに対応する参加者１０６のユーザＩＤやユーザ名等を取得し、参加者１０６を特定することができる。なお、情報分析部４７３が作成する分析情報の例については、後述する。
【０１２４】
分析情報提供部４７４は、例えば、図２のＣＰＵ２０１で実行されるプログラムによって実現され、情報分析部４７３が作成した分析情報を提供する。例えば、分析情報提供部４７４は、評価端末１０８からの要求に応じて、情報分析部４７３が作成した分析情報を評価端末１０８に送信する。或いは、分析情報提供部４７４は、情報分析部４７３が作成した分析情報を、図２の表示装置２０７等に表示させる。
【０１２５】
記憶部４７５は、例えば、図２のストレージ装置３０４、及び図２のＣＰＵ２０１で実行されるプログラム等によって実現され、会議情報４７６、ユーザ情報４７７等を記憶する。
【０１２６】
上記の構成により、評価システム１０７は、所定の領域１１０で開催された会議に関する第２の参加者情報を参加者情報管理サーバ１０２から取得し、会議の活性度や、参加者１０６の各々の参加状況等を分析した分析情報を作成する。
【０１２７】
情報処理システム１００では、参加者情報管理サーバ１０２が管理する複数の参加者の第２の参加者情報を用いて、参加者１０６毎に様々な情報の分析が可能である。図４に示す評価システム１０７の構成は、上記の構成に限られず、任意の構成であって良い。
【０１２８】
（ゲートウェイの機能構成）
ゲートウェイ１０４は、位置情報管理サーバ１０１と、出力装置１０３との間の通信を中継し、必要に応じてプロトコル変換を行う。これにより、位置情報管理サーバ１０１と出力装置１０３とは、ゲートウェイ１０４を介して、相互に通信を行うことができる。
【０１２９】
＜処理の流れ＞
続いて、本実施形態に係る情報処理システム１００による情報処理方法の処理の流れについて説明する。
【０１３０】
（参加開始処理）
図８は、第１の実施形態に係る参加開始処理の例を示すシーケンス図である。この処理は、情報端末１０５を所持する参加者１０６が、出力装置１０３が設置された所定の領域１１０で開催される会議（イベントの一例）に参加する際に実行される処理の例を示している。
【０１３１】
ステップＳ８０１において、所定の領域１１０に設置された出力装置１０３は、位置ＩＤを含む音波を、所定の時間間隔（例えば１秒間隔）で送信しているものとする。
【０１３２】
ステップＳ８０２において、参加者１０６は、情報端末１０に対して会議への参加開始操作を行う。例えば、参加者１０６は、情報端末１０で情報処理システム１００に対応するアプリを起動する。或いは、参加者１０６は、情報処理システム１００に対応するアプリの操作画面に表示された「開始」ボタンを選択する。
【０１３３】
ステップＳ８０３において、情報端末１０５の位置情報取得部４５２は、マイク部３０７を用いて、出力装置１０３が出力する音波を取得し、取得した音波に含まれる位置ＩＤを抽出する。
【０１３４】
ステップＳ８０４において、情報端末１０５の位置情報取得部４５２は、抽出した位置ＩＤと、情報端末１０５のアプリＩＤとを含む位置情報の取得要求を位置情報管理サーバ１０１に送信する。
【０１３５】
ステップＳ８０５において、位置情報管理サーバ１０１は、情報端末１０５から位置情報の取得要求を受信すると、位置情報取得要求に含まれる位置ＩＤに対応する位置情報（緯度、経度、高度）を、例えば、図５に示すような位置情報４１４から抽出する。
【０１３６】
ステップＳ８０６において、位置情報管理サーバ１０１は、抽出した位置情報（緯度、経度、高度）を情報端末１０５に送信し、情報端末１０５の位置情報取得部４５２は、送信された位置情報（緯度、経度、高度）を取得する。
【０１３７】
ステップＳ８０７において、情報端末１０５の参加者情報送信部４５５は、位置情報取得部４５２が取得した位置情報（緯度、経度、高度）と、情報端末１０５のアプリＩＤとを含む参加者情報（第１の参加者情報）を、参加者情報管理サーバ１０２に送信する。このとき、送信される第１の参加者情報には、評価情報が含まれていなくても良い。
【０１３８】
ステップＳ８０８において、参加者情報管理サーバ１０２の参加者情報管理部４２３は、参加者情報受信部４２２が受信した第１の参加者情報に含まれる位置情報（緯度、経度、高度）を、施設情報４２８を用いて、場所情報（会議室名等）に変換する。
【０１３９】
ステップＳ８０９において、参加者情報管理サーバ１０２の参加者情報管理部４２３は、情報端末１０５のアプリＩＤ、ステップＳ８０８で変換された場所情報、参加者情報が作成又は取得された日時情報を含む参加者情報を、参加者情報４２７に記憶する。
【０１４０】
ステップＳ８１０において、参加者情報管理サーバ１０２の参加者情報管理部４２３は、参加者情報の登録が完了したことを示す登録結果を、情報端末１０５に通知する。
【０１４１】
ステップＳ８１１において、情報端末１０５の表示制御部４５６は、参加者情報の登録が終了したことを示す登録結果を、図３の表示入力装置３０６等に表示させる。なお、ステップＳ８１１の処理は必須ではない。
【０１４２】
上記の処理により、情報端末１０５を所持する参加者１０６が、会議に参加したこと、及び会議に参加した日時等が、参加者情報管理サーバ１０２が管理する参加者情報４２７（第２の参加者情報）に記憶される。
【０１４３】
ステップＳ８１２において、情報端末１０５の参加者情報送信部４５５は、タイマＴ１をスタートさせる。このタイマＴ１は、例えば、２時間程度のタイマであり、参加者情報送信部４５５は、タイマＴ１がタイムアウトしたとき、又は参加者１０６が会議を退出するときのいずれかのタイミングで、評価情報を含む参加者情報を、参加者情報管理サーバに送信する。
【０１４４】
ステップＳ８１３において、情報端末１０５の音声情報取得部（入力情報取得部）４５３は、音声情報の取得を開始する。
【０１４５】
ステップＳ８１４において、情報端末１０５の評価情報生成部４５４は、音声情報取得部４５３が取得する音声情報と、予め定められた採点情報とを用いて、会議において参加者１０６を評価するための評価情報を生成する生成処理を開始する。
【０１４６】
（評価情報の生成処理）
図９は、第１の実施形態に係る評価情報の生成処理の例を示すフローチャートである。この処理は、図８のステップＳ８１４の処理に対応している。
【０１４７】
ステップＳ９０１において、情報端末１０５の評価情報生成部４５４は、音声情報取得部４５３が取得した音声信号の大きさ（音声情報の一例）が、予め定められた評価情報の１つである第１のしきい値以上であるかを判断する。
【０１４８】
音声信号の大きさが第１のしきい値以上である場合、評価情報生成部４５４は、処理をステップＳ９０２に移行させる。一方、音声信号の大きさが第１のしきい値以上でない場合、評価情報生成部４５４は、処理をステップＳ９０７に移行させる。
【０１４９】
ステップＳ９０２に移行すると、評価情報生成部４５４は、音声信号の大きさが第１のしきい値以上になってから、予め定められた第１の所定の時間を経過したかを判断する。
【０１５０】
第１の所定の時間を経過していない場合、評価情報生成部４５４は、処理をステップＳ９０１に移行させて、同様の処理を再度実行する。一方、第１の所定の時間を経過した場合、評価情報生成部４５４は、処理をステップＳ９０３に移行させる。
【０１５１】
ステップＳ９０３に移行すると、評価情報生成部４５４は、評価情報の点数である評価点に、予め定められた第１の点数を加点する。
【０１５２】
上記のステップＳ９０１〜Ｓ９０３の処理により、評価情報生成部４５４は、音声情報取得部４５３が取得した音声の大きさが第１の所定の時間以上、第１のしきい値を超えた場合、評価情報の点数に第１の所定の点数を加点する。
【０１５３】
また、評価情報生成部４５４は、ステップＳ９０１〜Ｓ９０３の処理と並行して、ステップＳ９０４〜Ｓ９０６の処理を実行する。
【０１５４】
ステップＳ９０４において、情報端末１０５の評価情報生成部４５４は、音声情報取得部４５３が取得した音声信号の大きさが、第１のしきい値より小さい予め定められた第２のしきい値未満であるかを判断する。
【０１５５】
音声信号の大きさが第２のしきい値未満である場合、評価情報生成部４５４は、処理をステップＳ９０５に移行させる。一方、音声信号の大きさが第２のしきい値未満でない場合、評価情報生成部４５４は、処理をステップＳ９０７に移行させる。
【０１５６】
ステップＳ９０５に移行すると、評価情報生成部４５４は、音声信号の大きさが第２のしきい値未満になってから、予め定められた第２の所定の時間を経過したかを判断する。
【０１５７】
第２の所定の時間を経過していない場合、評価情報生成部４５４は、処理をステップＳ９０４に移行させて、同様の処理を再度実行する。一方、第２の所定の時間を経過した場合、評価情報生成部４５４は、処理をステップＳ９０６に移行させる。
【０１５８】
ステップＳ９０６に移行すると、評価情報生成部４５４は、評価情報の点数である評価点から、予め定められた第１の点数を減点する。
【０１５９】
上記のステップＳ９０４〜Ｓ９０６の処理により、評価情報生成部４５４は、音声情報取得部４５３が取得した音声の大きさが第２の所定の時間以上、第２のしきい値を下回った場合、評価情報の点数から第２の所定の点数を減点する。
【０１６０】
ステップＳ９０７に移行すると、評価情報生成部４５４は、操作受付部４５７が、参加者１０６による参加終了操作（例えば、アプリの操作画面の「退出」ボタンの選択、アプリの終了操作等）を受付したかを判断する。
【０１６１】
参加終了操作９０７を受付した場合、評価情報生成部４５４は、評価情報の生成処理を終了させる。一方、参加終了操作９０７を受付していない場合、評価情報生成部４５４は、処理をステップＳ９０８に移行させる。
【０１６２】
ステップＳ９０８に移行すると、評価情報生成部４５４は、図８のステップＳ８１２で計測を開始したタイマＴ１がタイムアウトしたかを判断する。
【０１６３】
タイマＴ１がタイムアウトした場合、評価情報生成部４５４は、評価情報の生成処理を終了させる。一方、タイマＴ１がタイムアウトしていない場合、評価情報生成部４５４は、処理をステップＳ９０１、Ｓ９０４に戻して、同様の処理を再度実行する。
【０１６４】
上記のステップＳ９０７、Ｓ９０８の処理により、評価情報生成部４５４は、参加者１０６による参加終了操作を受付するまで、或いは、タイマＴ１がタイムアウトするまで、評価情報の生成処理を繰返し実行する。
【０１６５】
図１０は、第１の実施形態に係る評価情報のイメージを示す図である。
【０１６６】
図１０（ａ）は、評価情報生成部４５４による評価点への加点処理、減点処理のイメージを示している。図１０（ａ）において、評価情報生成部４５４は、例えば、時間ｔ１、ｔ２、ｔ３に示すように、音声信号のレベル（大きさ）が、第２のしきい値、第１のしきい値の順で超えていく点を、参加者１０６の発話（発言）の開始点と判断する。
【０１６７】
また、評価情報生成部４５４は、音声信号のレベルが、第１の所定の時間以上、第１のしきい値を超えた場合、例えば、図１０（ａ）の区間１００１、１００２、１００３等において、評価点に第１の所定の点数を加点する。
【０１６８】
好ましくは、第１のしきい値は、情報端末１０５を所持する参加者１０６が発言しているときに、加点されるように予め設定されている。これにより、参加者１０６が積極的に発言すると、評価点が加算される。
【０１６９】
一方、評価情報生成部４５４は、音声信号のレベルが、第２の所定の時間以上、第２のしきい値を下回った場合、例えば、図１０（ａ）の区間１００４において、評価点から第２の所定の点数を減点する。
【０１７０】
好ましくは、第２のしきい値は、会議に参加する複数の参加者１０６が発言していないときに、減点されるように予め設定されている。これにより、参加者１０６が、他の参加者の発言を聞いているときには減点されず、発言することができる状況においても発言していない場合等に、評価点が減点される。
【０１７１】
図１０（ｂ）は、会議中における評価情報生成部４５４による評価点の推移のイメージを示している。図１０（ｂ）の例では、会議の開始時には、評価点「０」からスタートし、音声信号の大きさの変化に従って、評価点が加点又は減点される。なお、スタート時の評価点「０」は、他の値（例えば「５０」等）であっても良い。
【０１７２】
一例として、評価情報生成部４５４は、参加者１０６が、参加終了操作を行ったとき、又はタイマＴ１（例えば６０分）がタイムアウトしたときの評価点１００５を、参加者１０６の評価点（評価情報）とする。これにより、会議中に参加者１０６が、積極的に会議に参加したかどうかを数値化することができる。
【０１７３】
また、別の一例として、評価情報生成部４５４は、図１０（ｂ）において、タイマＴ１を、例えば、２０分とし、会議の序盤、中盤、終盤のそれぞれで、評価点を取得するものであっても良い。これにより、参加者１０６が、議題の説明、討議、全体のまとめ等、どのフェースに積極的に関わったかを分析することができるようになる。
【０１７４】
（参加終了処理）
図１１は、第１の実施形態に係る参加終了処理の例を示すシーケンス図である。この処理は、図８のステップＳ８１４、及び図９に示す評価情報の生成処理が終了した後の処理の例を示している。なお、基本的な処理は、図８に示す参加開始処理と同様なので、ここでは同様の処理についての詳細な説明は省略する。
【０１７５】
ステップＳ１１０１において、所定の領域１１０に設置された出力装置１０３は、位置ＩＤを含む音波を、所定の時間間隔で送信しているものとする。
【０１７６】
ステップＳ１１０２において、例えば、参加者１０６による参加終了操作、又はタイマＴ１のタイムアウト等により、評価情報の生成処理が終了するものとする。
【０１７７】
ステップＳ１１０３において、情報端末１０５の位置情報取得部４５２は、出力装置１０３が出力する音波に含まれる位置ＩＤを取得する。
【０１７８】
ステップＳ１１０４において、情報端末１０５の位置情報取得部４５２は、取得した位置ＩＤと、情報端末１０５のアプリＩＤとを含む位置情報の取得要求を位置情報管理サーバ１０１に送信する。
【０１７９】
ステップＳ１１０５において、位置情報管理サーバ１０１は、位置ＩＤに対応する位置情報（緯度、経度、高度）を抽出し、ステップＳ１１０６において、抽出した位置情報（緯度、経度、高度）を、要求元の情報端末１０５に送信する。
【０１８０】
ステップＳ１１０７において、情報端末１０５の参加者情報送信部４５５は、取得した位置情報（緯度、経度、高度）、情報端末１０５のアプリＩＤ、及び生成した評価情報を含む参加者情報（第１の参加者情報）を、参加者情報管理サーバ１０２に送信する。
【０１８１】
ステップＳ１１０８において、参加者情報管理サーバ１０２の参加者情報管理部４２３は、受信した第１の参加者情報に含まれる位置情報（緯度、経度、高度）を、場所情報（会議室名等）に変換する。
【０１８２】
ステップＳ１１０９において、参加者情報管理サーバ１０２の参加者情報管理部４２３は、情報端末１０５のアプリＩＤ、変換された場所情報、評価情報、及び第１の参加者情報が作成又は取得された日時情報を対応付けて、参加者情報４２７に記憶する。
【０１８３】
ステップＳ１１１０において、参加者情報管理サーバ１０２の参加者情報管理部４２３は、参加者情報の登録が完了したことを示す登録結果を、情報端末１０５に通知する。
【０１８４】
ステップＳ１１１１において、情報端末１０５の表示制御部４５６は、参加者情報の登録が終了したことを示す登録結果を、表示入力装置３０６等に表示させる。なお、ステップＳ１１１１の処理は必須ではない。
【０１８５】
上記の処理により、会議において参加者１０６を評価するための情報である評価情報が、参加者１０６が所持する情報端末１０５のアプリＩＤ、場所情報、日時情報等と共に、参加者情報管理サーバ１０２が管理する参加者情報４２７に記憶される。
【０１８６】
続いて、図１１のステップＳ１１１２〜Ｓ１１１６において、評価システム１０７は、所定の領域１１０で開催された会議の活性度や、会議の参加者１０６の会議への参加状況等を評価する分析情報を生成する。なお、評価システム１０７は、参加者情報管理サーバ１０２が管理する参加者情報４２７を用いることにより、様々なイベントにおける参加者の様々な分析が可能であるが、ここでは、その一例について説明する。
【０１８７】
ステップＳ１１１２において、評価システム１０７は、例えば、会議や参加者１０６を評価する評価者による操作等に応じて、指定された会議に係る参加者情報（第２の参加者情報）の取得要求を、参加者情報管理サーバ１０２に送信する。この参加者情報の取得要求には、例えば、図７（ａ）に示す会議情報４７６において、指定された会議名に対応する場所情報、及び開催日時の情報等が含まれる。
【０１８８】
ステップＳ１１１３において、参加者情報管理サーバ１０２の参加者情報提供部４２５は、記憶部４２６に記憶した、例えば、図６（ａ）に示すような参加者情報４２７から、指定された場所情報、及び開催日時に対応する第２の参加者情報を抽出する。
【０１８９】
ステップＳ１１１４において、参加者情報管理サーバ１０２の参加者情報提供部４２５は、抽出された第２の参加者情報を、評価システム１０７に送信する。この第２の参加者情報には、指定された会議に出席していた複数の参加者１０６が所持していた情報端末１０５が取得した参加者１０６の評価情報が含まれている。
【０１９０】
ステップＳ１１１５において、評価システム１０７の情報分析部４７３は、参加者情報管理サーバ１０２から送信された第２の参加者情報を取得し、例えば、図１２に示すような分析結果を作成する。
【０１９１】
ステップＳ１１１６において、評価システム１０７の分析情報提供部４７４は、例えば、図１２に示すような分析結果を、例えば、図２の表示装置２０７や、要求元の評価端末１０８等に表示させる。
【０１９２】
（分析結果の例）
図１２は、第１の実施形態に係る分析結果の一例を示す図である。図１２に示す分析結果１２００は、評価システム１０７によって作成される分析情報の一例を示している。
【０１９３】
図１２の例では、分析結果１２００には、複数の会議（会議１〜会議５）における複数の参加者１０６（参加者Ａ〜Ｆ）の各々が、会議に参加したかどうかを示す「参加」情報１２０２、参加者１０６を評価情報である「評価点」情報１２０３等が含まれる。
【０１９４】
この分析結果により、評価者は、各会議に参加した参加者、及び各会議における参加者１０６の各々を評価するための評価点等を判断することができる。
【０１９５】
また、評価者は、各会議の「計／Ａｖｅ（アベレージ）」情報１２０４により、各会議に参加した参加者１０６の人数や、会議全体の活性度等も判断することができる。
【０１９６】
さらに、評価者は、各参加者１０６の「合計／Ａｖｅ」情報１２０５により、各参加者１０６の会議へ参加回数や、評価点の平均等により、各参加者１０６の会議への参加状況（例えば、会議で積極的に発言しているか等）を判断することができる。
【０１９７】
また、分析結果１２００には、例えば、「Ａｖｅ４０以上の会議の参加回数」を示す情報１２０６や、「Ａｖｅ４０以上、自分４０以上」の会議の参加回数を示す情報１２０７等、様々な分析結果を含めることができる。
【０１９８】
以上、本実施形態に係る情報端末１０５、及び情報処理システム１００によれば、所定の領域で開催されるイベント全体の活性度だけではなく、イベントに参加する参加者の各々の参加状況を評価することができるようになる。
【０１９９】
［第２の実施形態］
第１の実施形態では、情報端末１０５の評価情報生成部４５４が、取得した音声の大きさが第１の所定の時間以上、第１のしきい値を超えた場合、評価情報の点数に第１の所定の点数を加算するものとして説明を行った。また、評価情報生成部４５４が、取得した音声の大きさが第２の所定の時間以上、第２のしきい値を上回った場合、評価情報の点数に第１の所定の点数を加算するものとして説明を行った。
【０２００】
上記の第１の実施形態に係る評価情報の生成方法は一例であり、情報端末１０５の評価情報生成部４５４は、別の方法により、評価情報を生成するものであっても良い。第２の実施形態では、評価情報生成部４５４による評価情報の生成方法の別の一例について説明する。
【０２０１】
＜機能構成＞
図１３は、第２の実施形態に係る評価情報生成部４５４の機能構成図である。なお、他の機能構成は、図４に示す第１の実施形態に係る情報処理システム１００の機能構成と同様であるものとする。
【０２０２】
図１３において、第２の実施形態に係る評価情報生成部４５４は、発話回数検知部１３０１、盛り上がり検知部１３０２、笑い声検知部１３０３、及び評価点算出部１３０４を含む。
【０２０３】
また、第１の実施形態では、音声情報取得部４５３が取得する音声情報は、音声信号の大きさを示す情報であったが、第２の実施形態では、音声情報取得部４５３が取得する音声情報には、音声信号、音声信号の大きさ、音声信号の周波数等の情報が含まれる。
【０２０４】
さらに、第２の実施形態に係る情報端末１０５の記憶部４５８には、例えば、図１４に示すような採点情報１３０５が記憶されているものとする。この採点情報１３０５は、予め定められた採点情報の一例である。
【０２０５】
発話回数検知部（第１の検知部）１３０１は、図１０（ａ）で説明したように、音声信号のレベルが、第２のしきい値、第１のしきい値の順で超えていく点を、参加者１０６の発話（発言）の開始点と判断し、会議における参加者１０６の発話回数を検知する。
【０２０６】
発話回数検知部１３０１によって検知された参加者１０６の発話回数は、例えば、図１４の採点情報１３０５に基づいて採点され、評価点に加算される。
【０２０７】
盛り上がり検知部（第２の検知部）１３０２は、例えば、音声情報取得部４５３が取得した音声信号を分析して、複数の参加者１０６による声の重なりや、声の上気等を検知する。
【０２０８】
例えば、声の重なりが、所定の時間以上、検知された場合、複数の参加者１０６による議論が盛り上がっていると判断され、例えば、図１４の採点情報１３０５に示されるように、評価点に所定の点数（例えば５点）が加算される。
【０２０９】
また、声の上気は、例えば、図１０（ａ）において、第１のしきい値を超えて、情報端末１０５を所持する参加者１０６の発言と判断される音声信号の周波数が、所定の時間以上、平均値より高くなったときに、声が上気したと判断する。この場合、情報端末１０５を所持する参加者１０６の発言が白熱していると判断され、例えば、図１４の採点情報１３０５に示されるように、評価点に所定の点数（例えば２点）が加算される。
【０２１０】
笑い声検知部（第３の検知部）１３０３は、例えば、音声情報取得部４５３が取得した音声信号を分析して、音声信号に含まれる笑い声を検知する。
【０２１１】
例えば、笑い声検知部１３０３は、例えば、図１０（ａ）において、第１のしきい値を超えて、情報端末１０５を所持する参加者１０６の発言と判断される音声信号から笑い声の回数（又は頻度、時間等）を検知する。
【０２１２】
笑い声の回数（又は頻度、時間等）が多い場合、例えば、参加者１０６が会議に積極的に関わっていると判断され、例えば、図１４の採点情報１３０５に基づいて採点され、評価点が加算される。
【０２１３】
評価点算出部１３０４は、発話回数検知部１３０１、盛り上がり検知部１３０２、及び笑い声検知部１３０３による検知結果と、例えば、図１４に示すような採点情報１３０５とを用いて、評価点を算出する。
【０２１４】
評価点算出部１３０４は、発話回数検知部１３０１、盛り上がり検知部１３０２、及び笑い声検知部１３０３による検知結果を用いて、１つの評価点を算出するものであっても良いし、複数の評価点を算出するものであっても良い。
【０２１５】
例えば、評価点算出部１３０４は、発話回数検知部１３０１の検知結果を用いて、参加者１０６の「活性度」を示す第１の評価点を算出するものであっても良い。また、評価点算出部１３０４は、盛り上がり検知部１３０２の検知結果を用いて、会議の「賑わい」を示す第２の評価点を算出するものであっても良い。さらに、評価点算出部１３０４は、笑い声検知部１３０３による検知結果を用いて、「ニコニコ度」を示す第３の評価点を算出するものであっても良い。
【０２１６】
第２の実施形態によれば、会議や講義等の場の賑やかさに着目し、その場の雰囲気や、会議や話題の盛り上がり等を評価することができるようになる。
【０２１７】
［第３の実施形態］
例えば、大学や研修センター等の講義（所定の領域１１０で開催されるイベントの一例）において、講義に参加する参加者１０６の出席状況や、講義の理解度、習熟度等を評価したいという要求がある。
【０２１８】
しかし、例えば、非特許文献１に示されるような従来の技術では、講義等に参加する複数の参加者１０６の各々について、出席状況、理解度、習熟度等を評価することはできない。
【０２１９】
第３の実施形態は、例えば、図１に示すような情報処理システム１００を利用して、所定の領域１１０で開催されるイベントに参加する参加者１０６の各々の出席状況、理解度、習熟度等を評価することができるようにする。
【０２２０】
＜システム構成＞
図１５は、第３の実施形態に係る情報処理システムの構成例を示す図である。第３の実施形態に係る情報処理システム１００は、図１に示す情報処理システム１００と同様に、位置情報管理サーバ１０１、参加者情報管理サーバ１０２、出力装置１０３、ゲートウェイ１０４、情報端末１０５、評価システム１０７、評価端末１０８等を含む。
【０２２１】
第３の実施形態では、所定の領域１１０は、授業等が行われる教室等であるものとして以下の説明を行う。なお、授業等には、例えば、講義、研修、セミナー等が含まれ、教室等には、例えば、講堂、検出室、セミナールーム等が含まれ得る。
【０２２２】
図１５において、授業等を行う講師１５０１は、授業等に参加する学生や、受講者等の参加者１０６の出席状況や、理解度、習熟度等を確認するために、授業等において、１つ以上の設問を含むミニテストを出題する。
【０２２３】
また、授業等に参加する複数の参加者１０６は、参加者１０６が所持する情報端末１０５（例えば、スマートフォン、タブレット端末等）で、授業に対応するアプリを実行し、出題された設問の解答を情報端末１０５に入力する。
【０２２４】
情報端末１０５は、出力装置１０３から出力される位置ＩＤに基づいて、教室等の所定の領域１１０の位置情報を取得すると共に、例えば、評価システム１０７等から、解答を採点するための採点情報を取得する。
【０２２５】
また、情報端末１０５は、参加者１０６によって入力された解答（入力情報）と、取得した採点情報（予め定められた採点情報）とを用いて、授業等において参加者１０６を評価するための評価情報（例えば、テストの点数）を生成する。
【０２２６】
さらに、情報端末１０５は、教室等の所定の領域１１０の位置情報、情報端末１０５のアプリＩＤ、及び生成された評価情報を含む第１の参加者情報を、参加者情報管理サーバ１０２に送信する。
【０２２７】
これにより、参加者情報管理サーバ１０２において、授業等に参加する複数の参加者１０６の出席状況や、ミニテストの採点情報である評価情報を管理することができるようになる。
【０２２８】
＜機能構成＞
図１６は、第３の実施形態に係る情報処理システム１００の機能構成図である。なお、基本的な構成は、図４に示す第１の実施形態に係る情報処理システム１００と同様なので、ここでは、第１の実施形態との相違点を中心に説明を行う。
【０２２９】
（情報端末の機能構成）
本実施形態に係る情報端末１０５は、図４に示す第１の実施形態に係る情報端末１０５の音声情報取得部４５３に代えて、解答情報取得部１６０１を有している。なお、解答情報取得部１６０１は、所定の領域１１０において、参加者１０６に対応する所定の入力情報を取得する入力情報取得部の一例である。
【０２３０】
解答情報取得部１６０１は、例えば、図３のＣＰＵ３０１で実行されるプログラム（情報処理システム１００に対応するアプリ等）によって実現される。解答情報取得部１６０１は、授業等において、講師１５０１等によって出題されるミニテストの解答を入力するための表示画面を情報端末１０５に表示させて、参加者１０６による解答情報の入力を受け付ける。
【０２３１】
評価情報生成部４５４は、解答情報取得部１６０１が取得した解答情報を採点するための採点情報を、例えば、評価システム１０７等から取得し、取得した採点情報を用いて、
参加者１０６による解答情報を採点し、採点結果を評価情報（評価点）とする。
【０２３２】
（参加者情報管理サーバ）
本実施形態に係る参加者情報管理サーバ１０２の機能構成は、図４に示す第１の実施形態に係る参加者情報管理サーバ１０２の機能構成と同様である。
【０２３３】
図１７は、第３の実施形態に係る参加者情報管理サーバが管理する情報の例を示す図である。
【０２３４】
図１７（ａ）は、本実施形態に係る参加者情報１６０３の例を示している。参加者情報１６０３は、図６（ａ）に示す第１の実施形態に係る参加者情報４２７と同様に、「アプリＩＤ」、「日時」、「場所情報」、「評価情報」等の情報を含む。図１７（ａ）の例では、「場所情報」は、授業等が行われる教室等を示しており、「評価情報」は、講義で行われたミニテスト等の採点結果が記憶されている。
【０２３５】
図１７（ｂ）は、本実施形態に係る施設情報１６０４の例を示している。施設情報１６０４は、図６（ｂ）に示す第１の実施形態に係る施設情報４２８と同様に、「場所情報」、「位置情報（緯度、経度、高度）」等の情報を含む。図１７（ａ）の例では、「場所情報」は、授業等が行われる教室等を示している。
【０２３６】
（評価システムの機能構成）
本実施形態に係る評価システム１０７は、図４に示す第１の実施形態に係る評価システム１０７の機能構成に加えて、採点情報提供部１６０２を有している。
【０２３７】
採点情報提供部１６０２は、例えば、図２のＣＰＵ２０１で実行されるプログラム等によって実現され、情報端末１０５からの要求により、記憶部４７５に記憶した採点情報１６０７を提供する。
【０２３８】
なお、評価システム１０７が、採点情報提供部１６０２、及び採点情報１６０７を有しているのは一例であり、採点情報提供部１６０２又は採点情報１６０７は、評価システム１０７とは異なる情報処理装置やクラウド等により提供されるものであっても良い。
【０２３９】
図１８は、第３の実施形態に係る評価システムが管理する情報の例を示している。
【０２４０】
図１８（ａ）は、本実施形態に係るユーザ情報１６０５の例を示している。ユーザ情報１６０５は、例えば、「アプリＩＤ」、「学籍ＩＤ」、「ユーザ名」等の情報を含む。
【０２４１】
「アプリＩＤ」は、第１の実施形態と同様に、情報端末１０５のアプリＩＤである。「学籍ＩＤ」は、情報端末１０５を所持する参加者１０６（例えば学生）の識別情報である。「ユーザ名」は、参加者１０６の名前である。
【０２４２】
図１８（ｂ）は、本実施形態に係る講義情報１６０６の例を示している。講義情報１６０６は、例えば、「講義名」、「場所情報」、「開催日時」等の情報を含む。
【０２４３】
「講義名」は、所定の領域１１０で行われる授業等の名前等である。「場所情報」は、授業等が行われる教室等の所定の領域１１０の名前等である。「開催日時」は、授業等が開催（開講）される日時を示す情報である。
【０２４４】
図１８（ｃ）は、本実施形態に係る採点情報１６０７の例を示している。採点情報１６０７は、例えば、授業等を行う講師１５０１等によって予め登録され、「設問」、「正解」等の情報を含む。
【０２４５】
「設問」は、授業等で出題されるミニテストの設問を示す情報である。「正解」は、設問の正解を示す情報である。情報端末１０５の評価情報生成部４５４は、この採点情報１６０７を用いて、解答情報取得部１６０１が取得した解答情報を採点し、評価情報を生成することができる。
【０２４６】
＜処理の流れ＞
図１９は、第３の実施形態に係る評価情報の登録処理の例を示すシーケンス図である。なお、図１９において、ステップＳ１０９１の「参加開始処理」は、図８に示す第１の実施形態に係る参加開始処理に対応している。また、ステップＳ１９１７の「参加者情報の取得、分析処理」は、図１１のステップＳ１１１２〜Ｓ１１１６の処理に対応している。
【０２４７】
ステップＳ１９０２において、授業等が行われる教室等の所定の領域１１０に設置された出力装置１０３は、位置ＩＤを含む音波を、所定の時間間隔で送信しているものとする。
【０２４８】
ステップＳ１９０３において、情報端末１０５の表示制御部４５６は、情報端末１０５の所持する参加者１０６の解答開始操作等に応じて、授業等で出題されるミニテストの解答画面を、表示入力装置３０６等に表示させる。このとき、情報端末１０５に表示される表示画面の例を図２０（ａ）に示す。
【０２４９】
図２０（ａ）は、ステップＳ１９０３において、情報端末１０５に表示される解答画面２０１０の例を示している。解答画面２０１０には、例えば、複数の設問（問１〜問８）に対して、選択式の解答を入力する複数の選択ボタン２０１１が表示されている。
【０２５０】
好ましくは、解答画面２０１０には問題は表示されない。従って、授業に参加していない参加者１０６の情報端末１０５から、正しい解答を選択することは困難である。
【０２５１】
ステップＳ１９０４において、情報端末１０５の解答情報取得部１６０１は、参加者１０６による解答の入力を受付し、解答情報を取得する。
【０２５２】
例えば、図２０（ａ）に示す解答画面２０１０において、参加者１０６が選択ボタン２０１１を選択すると、例えば、図２０（ｂ）に示す解答画面２０２０のように、選択された選択ボタン２０１１の表示が、識別可能に表示される。また、解答情報取得部１６０１は、選択された解答を示す解答情報を取得する。
【０２５３】
ステップＳ１９０５において、情報端末１０５の評価情報生成部４５４は、採点情報の取得要求を、例えば、評価システム１０７に送信する。
【０２５４】
ステップＳ１９０６において、例えば、評価システム１０７の採点情報提供部１６０２は、記憶部４７５に記憶した採点情報１６０７を、情報端末１０５に送信する。
【０２５５】
ステップＳ１９０７において、情報端末１０５の評価情報生成部４５４は、取得した採点情報を用いて、ステップＳ１９０４で取得した解答情報を採点し、採点した点数を含む評価情報を生成する。
【０２５６】
ステップＳ１９０８において、情報端末１０５の位置情報取得部４５２は、出力装置１０３が出力する音波に含まれる位置ＩＤを取得する。
【０２５７】
ステップＳ１９０９において、情報端末１０５の位置情報取得部４５２は、取得した位置ＩＤと、情報端末１０５のアプリＩＤとを含む位置情報の取得要求を位置情報管理サーバ１０１に送信する。
【０２５８】
ステップＳ１９１０において、位置情報管理サーバ１０１は、位置ＩＤに対応する位置情報（緯度、経度、高度）を抽出し、ステップＳ１９１１において、抽出した位置情報（緯度、経度、高度）を、要求元の情報端末１０５に送信する。
【０２５９】
ステップＳ１９１２において、情報端末１０５の参加者情報送信部４５５は、取得した位置情報（緯度、経度、高度）、情報端末１０５のアプリＩＤ、及び生成した評価情報を含む第１の参加者情報を、参加者情報管理サーバ１０２に送信する。
【０２６０】
ステップＳ１９１３において、参加者情報管理サーバ１０２の参加者情報管理部４２３は、受信した第１の参加者情報に含まれる位置情報（緯度、経度、高度）を、場所情報（教室名等）に変換する。
【０２６１】
ステップＳ１９１４において、参加者情報管理サーバ１０２の参加者情報管理部４２３は、情報端末１０５のアプリＩＤ、変換された場所情報、評価情報、参加者情報が作成又は取得された日時情報を対応付けて、参加者情報１６０３に記憶する。
【０２６２】
ステップＳ１９１５において、参加者情報管理サーバ１０２の参加者情報管理部４２３は、参加者情報の登録が完了したことを示す登録結果を、情報端末１０５に通知する。
【０２６３】
ステップＳ１９１６において、情報端末１０５の表示制御部４５６は、参加者情報の登録が終了したことを示す登録結果を、表示入力装置３０６等に表示させる。このとき、情報端末１０５に表示される表示画面の例を図２０（ｃ）に示す。
【０２６４】
図２０（ｃ）は、ステップＳ１９１６で、情報端末１０５の表示画面に表示される、登録が完了したことを示す表示画面２０３０の例を示している。表示画面２０３０には、採点結果が登録されたことを示すメッセージ２０３１が表示される。
【０２６５】
好ましくは、登録が完了したことを示す表示画面２０３０において、参加者１０６が選択した解答のうち、誤った解答２０３２に対して、正しい解答２０３３が示される。
【０２６６】
続いて、図１９のステップＳ１９１７において、評価システム１０７は、所定の領域１１０で開催された授業等の活性度や、授業等の参加者１０６の授業等への参加状況を評価する分析情報を生成する。なお、評価システム１０７は、参加者情報管理サーバ１０２が管理する参加者情報を用いることにより、授業等における参加者の様々な分析が可能であるが、ここでは、その一例について説明する。
【０２６７】
（分析結果の例）
図２１は、第３の実施形態に係る分析結果の一例を示す図である。図２１に示す分析結果は、評価システム１０７によって作成される分析情報の一例を示している。
【０２６８】
図２１（ａ）は、授業等で行われたミニテストにおける解答状況の集計結果２１１０の例が示されている。
【０２６９】
好ましくは、解答状況の集計結果２１１０には、講義名、及び場所情報２１１１や、設問毎の正解率２１１２等の情報が表示される。この集計結果２１１０により、授業等を行った講師１５０１は、授業等に参加した参加者１０６全体の理解度、習熟度等を判断することができる。
【０２７０】
好ましくは、解答状況の集計結果２１１０には、設問毎に、正しい解答をした参加者１０６の情報（アプリＩＤ、学籍ＩＤ、又はユーザ名）を表示することも可能である。例えば、解答状況の集計結果２１１０において、例えば、「問２」を選択すると、選択された設問２１２１において、正解した参加者１０６の情報２１２２が表示される。これにより、授業等を行った講師１５０１は、各設問について、どの参加者１０６が理解しており、どの参加者１０６が理解していないのかを判断することができる。
【０２７１】
図２１（ｂ）は、授業等で行われたテストの採点結果２１３０の例を示している。このように、評価システム１０７は、参加者１０６毎に、解答の正否を示す情報２１３１や、正答率２１３３等を表示する分析結果を作成することも可能である。
【０２７２】
このように、本実施形態に係る情報処理システム１００によれば、授業等に参加した参加者１０６の各々について、授業等において参加者１０６を評価するための評価情報（ミニテストの結果等）を取得することができる。また、授業等に参加しなかった参加者１０６は、ミニテストの採点結果が登録されないので、授業等を行った講師１５０１は、各参加者１０６の出席の有無も判断することができる。従って、講師１５０１は、授業等の全体の評価だけではなく、授業等に参加する参加者１０６の各々について、出席状況、理解度、習熟度等を評価することができるようになる。
【０２７３】
以上、上記の各実施形態に係る情報端末１０５、及び情報処理システム１００によれば、所定の領域で開催されるイベント全体の活性度だけではなく、イベントに参加する参加者の各々の参加状況を評価することができるようになる。
【符号の説明】
【０２７４】
１００      情報処理システム
１０１      位置情報管理サーバ
１０２      参加者情報管理サーバ（情報処理装置）
１０３      出力装置
１０５      情報端末
１０６      参加者
１１０      所定の領域
４２２      参加者情報受信部
４２３      参加者情報管理部
４２５      参加者情報提供部
４５２      位置情報取得部
４５３      音声情報取得部（入力情報取得部の一例）
４５４      評価情報生成部
４５５      参加者情報送信部
１３０１    発話回数検知部（第１の検知部）
１３０２    盛り上がり検知部（第２の検知部）
１３０３    笑い声検知部（第３の検知部）
１６０１    解答情報取得部（入力情報取得部の一例）
【先行技術文献】
【非特許文献】
【０２７５】
【非特許文献１】新西誠人、糟谷勇児、稲本浩久、「わいわいメーター：場の活性度計測による会議の評価システムの試作」、信学技法、IEICE Technical Report、HCS2014-63、p.19-24，2014-10
【図１】
2018124456.tif 000003
【図２】
2018124456.tif 000004
【図３】
2018124456.tif 000005
【図４】
2018124456.tif 000006
【図５】
2018124456.tif 000007
【図６】
2018124456.tif 000008
【図７】
2018124456.tif 000009
【図８】
2018124456.tif 000010
【図９】
2018124456.tif 000011
【図１０】
2018124456.tif 000012
【図１１】
2018124456.tif 000013
【図１２】
2018124456.tif 000014
【図１３】
2018124456.tif 000015
【図１４】
2018124456.tif 000016
【図１５】
2018124456.tif 000017
【図１６】
2018124456.tif 000018
【図１７】
2018124456.tif 000019
【図１８】
2018124456.tif 000020
【図１９】
2018124456.tif 000021
【図２０】
2018124456.tif 000022
【図２１】
2018124456.tif 000023